(57)【要約】【課題】安価な構成であっても、撮影時に得られた画像の色調を、撮影時の被写体の色調で再現する。【解決手段】レンズ付きフイルムユニットに内蔵される写真フイルムをカラーリバーサルフイルムから構成する。また、絞りを小絞り（Ｆ２２．４）、大絞り（Ｆ５．６）の間で切り替えできるようにするとともに、シャッタ速度を高速シャッタ速度（１／１８０秒）、低速シャッタ速度（１／４５秒）の間で切り替えられるようにする。これにより、ＥＶ７．５〜ＥＶ１５．５の範囲で撮影を行うことが可能となり、日中の撮影において、被写体の色調を、そのまま写真の色調に反映させることができる。【選択図】        図１
2006301198.tif 000002
【特許請求の範囲】
【請求項１】
レリーズ操作を受けて露光開口の開放動作を行うシャッタと、
取り込まれた被写体光の光量調整を行う絞りと、を備え、
前記シャッタの開放動作時に、前記絞りによって光量調整された被写体光を、露光開口を介して未露光の写真フイルムに露光させるレンズ付きフイルムユニットにおいて、
前記写真フイルムは、リバーサルフイルムからなり、
前記絞りを大絞りと、小絞りとの間で切り替える絞り切替手段と、
前記シャッタのシャッタ速度を高速シャッタ速度と、低速シャッタ速度とで切り替えるシャッタ速度切替手段と、
前記シャッタ速度切替手段によってシャッタ速度を高速シャッタ速度に、絞り切替手段によって絞りを小絞りとした第１撮影モード、前記シャッタ速度切替手段によってシャッッタ速度を低速シャッタ速度に、絞り切替手段によって絞りを小絞りとした第２撮影モード、前記シャッタ速度切替手段によってシャッタ速度を高速シャッタ速度に、絞り切替手段によって絞りを大絞りとした第３撮影モード、前記シャッタ速度切替手段によってシャッタ速度を低速シャッタ速度に、絞り切替手段によって絞りを大絞りとした第４撮影モードのいずれか１つの撮影モードを選択するために操作される撮影モード選択操作手段とを備えたことを特徴とするレンズ付きフイルムユニット。
【請求項２】
前記リバーサルフイルムのフイルム感度がＩＳＯ４００であることを特徴とする請求項１記載のレンズ付きフイルムユニット。
【請求項３】
前記小絞りの絞り値をＦ1、前記大絞りの絞り値をＦ2としたときに、Ｆ1＝２２，Ｆ2＝５．６を満たすことを特徴とする請求項１又は２記載のレンズ付きフイルムユニット。
【請求項４】
前記高速シャッタ速度をＴ1、前記低速シャッタ速度をＴ2としたときに、Ｔ1＝１／１８０秒，Ｔ2＝１／４５秒を満たすことを特徴とする請求項１〜３いずれか記載のレンズ付きフイルムユニット。
【請求項５】
前記レリーズ操作を受けてストロボ光を発光するストロボ装置と、前記レリーズ操作に連動してストロボ光を発光させるか否かを選択するために操作されるストロボ選択操作手段とを備え、前記撮影モード選択操作手段とストロボ選択操作手段とを別個に設けたことを特徴とする請求項１〜４いずれか記載のレンズ付きフイルムユニット。
【発明の詳細な説明】
【技術分野】
【０００１】
本発明は、絞り値やシャッタ速度を切り換えることによって撮影時の露光量を調整することができるようにしたレンズ付きフイルムユニットに関するものである。
【背景技術】
【０００２】
一般に、撮影された被写体画像を画像データとして取り込んだ後に、カメラ本体に収納されたＲＡＭ等の記憶媒体に画像データを記憶するデジタルカメラや、被写体光をカメラ本体内部にセットされた写真フイルムに露光させることによって画像を記憶する銀塩カメラ等が提供されている。
【０００３】
例えばデジタルカメラの場合、例えばカメラ本体に設けられたＬＣＤ等の表示装置に、撮影時に得られた画像データや上述した記憶媒体に記憶された画像データを表示する、或いは、カメラ本体を外部モニタと接続することによって、上述した記憶媒体に記憶された画像データを表示することで、デジタルカメラを用いた撮影で得られた画像を閲覧することができる。また、この他に、得られた画像データを使用したプリントを行い、プリントされた写真から撮影によって得られた画像を閲覧することができ、便利である。
【０００４】
一方、銀塩カメラの場合、予め決められたコマ数に対応した撮影回数を行った後に、新たな写真フイルムに交換することで撮影を行うことができるカメラの他に、写真フイルムの交換を行えない、つまり、所定回数の撮影を行うと、それ以降の撮影が行えないようになっているレンズ付きフイルムユニットが提供されている。最近では、上述したデジタルカメラが普及してきており銀塩カメラ全体の需要が減少しているが、レンズ付きフイルムユニットは手軽に撮影を行うことができる上に安価なことから、その需要は維持されている。
【０００５】
このレンズ付きフイルムユニットは、露光開口を遮蔽し、撮影者のレリーズ操作に応じて、露光開口を遮蔽する位置から退避するシャッタを備え、このシャッタが退避することにより、撮影レンズから取り込まれた被写体光が露光開口を通過して、撮影位置にセットされたフイルムを露光させる構成となっている。最近では、露出の高低を切り換えることができるレンズ付きフイルムユニットが提供されている（特許文献１）。
【特許文献１】特開２００４−８５６２０号公報
【発明の開示】
【発明が解決しようとする課題】
【０００６】
しかしながら、撮影時の状態に応じて露出の高低を切り換えることができるレンズ付きフイルムユニットで撮影を行う場合、被写体の輝度が低い場合には露光量が不足することになり、被写体にストロボ光を照射させて露光量不足を解消するようにしている。このため、露光されたフイルムから写真を作成した場合、得られる画像は、撮影時の色調とは異なる色調となりやすく、再現性が悪いという問題がある。このような問題を解決するために、例えば露光されたフイルムを現像処理する際に色調を調整するということが考えられるが、撮影時の被写体の色調を再現するには高度の技術が必要となる上に、調整時間がかかってしまうという問題がある。
【０００７】
本発明は、上記課題を解決するためになされたものであり、安価な構成であっても、撮影時に得られた画像の色調を、撮影時の被写体の色調で再現できるようにしたレンズ付きフイルムユニットを提供することを目的とする。
【課題を解決するための手段】
【０００８】
本発明のレンズ付きフイルムユニットは、レリーズ操作を受けて露光開口の開放動作を行うシャッタと、取り込まれた被写体光の光量調整を行う絞りと、を備え、前記シャッタの開放動作時に、前記絞りによって光量調整された被写体光を、露光開口を介して未露光の写真フイルムに露光させるレンズ付きフイルムユニットにおいて、前記写真フイルムは、リバーサルフイルムからなり、前記絞りを大絞りと、小絞りとの間で切り替える絞り切替手段と、前記シャッタのシャッタ速度を高速シャッタ速度と、低速シャッタ速度とで切り替えるシャッタ速度切替手段と、前記シャッタ速度切替手段によってシャッタ速度を高速シャッタ速度に、絞り切替手段によって絞りを小絞りとした第１撮影モード、前記シャッタ速度切替手段によってシャッッタ速度を低速シャッタ速度に、絞り切替手段によって絞りを小絞りとした第２撮影モード、前記シャッタ速度切替手段によってシャッタ速度を高速シャッタ速度に、絞り切替手段によって絞りを大絞りとした第３撮影モード、前記シャッタ速度切替手段によってシャッタ速度を低速シャッタ速度に、絞り切替手段によって絞りを大絞りとした第４撮影モードのいずれか１つの撮影モードを選択するために操作される撮影モード選択操作手段とを備えたことを特徴とする。
【０００９】
また、前記リバーサルフイルムのフイルム感度がＩＳＯ４００であることを特徴とする。
【００１０】
また、前記小絞りの絞り値をＦ1、前記大絞りの絞り値をＦ2としたときに、Ｆ1＝２２，Ｆ2＝５．６を満たすことを特徴とする。
【００１１】
また、前記高速シャッタ速度をＴ1、前記低速シャッタ速度をＴ2としたときに、Ｔ1＝１／１８０秒，Ｔ2＝１／４５秒を満たすことを特徴とする。
【００１２】
また、前前記レリーズ操作を受けてストロボ光を発光するストロボ装置と、前記レリーズ操作に連動してストロボ光を発光させるか否かを選択するために操作されるストロボ選択操作手段とを備え、前記撮影モード選択操作手段とストロボ選択操作手段とを別個に設けたことを特徴とする。
【発明の効果】
【００１３】
本発明のレンズ付きフイルムユニットによれば、レリーズ操作を受けて露光開口の開放動作を行うシャッタと、取り込まれた被写体光の光量調整を行う絞りと、を備え、前記シャッタの開放動作時に、前記絞りによって光量調整された被写体光を、露光開口を介して未露光の写真フイルムに露光させるレンズ付きフイルムユニットにおいて、前記写真フイルムは、リバーサルフイルムからなり、前記絞りを大絞りと、小絞りとの間で切り替える絞り切替手段と、前記シャッタのシャッタ速度を高速シャッタ速度と、低速シャッタ速度とで切り替えるシャッタ速度切替手段と、前記シャッタ速度切替手段によってシャッタ速度を高速シャッタ速度に、絞り切替手段によって絞りを小絞りとした第１撮影モード、前記シャッタ速度切替手段によってシャッッタ速度を低速シャッタ速度に、絞り切替手段によって絞りを小絞りとした第２撮影モード、前記シャッタ速度切替手段によってシャッタ速度を高速シャッタ速度に、絞り切替手段によって絞りを大絞りとした第３撮影モード、前記シャッタ速度切替手段によってシャッタ速度を低速シャッタ速度に、絞り切替手段によって絞りを大絞りとした第４撮影モードのいずれか１つの撮影モードを選択するために操作される撮影モード選択操作手段とを備えたから、前記複数段階撮影モードでの露光量を適正露光範囲内に収めることができるので、安価な構成で、撮影された画像に基づいた写真における色調を、撮影時の被写体像の色調として再現でき、高品質な写真を得ることが可能となる。
【００１４】
また、前記レリーズ操作を受けてストロボ光を発光するストロボ装置と、前記レリーズ操作に連動してストロボ光を発光させるか否かを選択するために操作されるストロボ選択操作手段とを備え、前記撮影モード選択操作手段とストロボ選択操作手段とを別個に設けたから、例えば撮影時に発光させるストロボ光を影消し等に使用する、或いは撮影時にストロボ光を使用しないことで、被写体像の撮影時における色調を、得られる画像に反映させることができる。
【発明を実施するための最良の形態】
【００１５】
図１は、本発明を実施したレンズ付きフイルムユニットの外観形状を示す斜視図である。このレンズ付きフイルムユニットは、基本的に自然光を利用することによって撮影を行い、日中シンクロ撮影などを行う場合に、後述するストロボ装置を使用するようになっている。このレンズ付きフイルムユニット１０は、撮影機構が組み込まれたユニット本体１１と、ユニット本体１１の外周に巻き付けられるようにして貼付されるラベル１２とからなる。なお、ラベル１２には、ユニット本体１１の各部を露呈させるための開口が形成されている。
【００１６】
ユニット本体１１の前面には、撮影レンズ１５、ファインダ１６、ストロボ発光部１７、ストロボ選択部１８、露出切替部１９等が設けられている。ユニット本体１１の上面には、レリーズボタン２０、カウンタ表示窓２１、シグナル用開口２２等が設けられている。ユニット本体１１の背面からは、撮影後のフイルム巻き上げに用いられる巻上げノブ２３の一部が露呈されている。
【００１７】
ストロボ選択部１８は、ユニット本体１１の前面に設けられた操作開口２５と、この操作開口２５内で移動自在とされた略小判状の操作部２６からなる。操作部材２６は、図１に示すストロボ光の発光を行わないオフ位置と、オフ位置から上方にスライドしたオン位置との間で移動自在とされている。なお、オン位置に操作部２６が位置している場合にレリーズボタン２０が操作されると、ストロボ発光部１７から被写体に向けてストロボ光が照射される。なお、オン位置に操作部２６をスライドさせると、ユニット本体１１の上面に設けられたシグナル用開口２２からライトガイド（図示省略）の一部が突出する。このライトガイドは、ストロボ受電が完了した際に発光する発光素子の光をユニット本体１１の外部に向けてガイドするためのものである。
【００１８】
露出切替部１９は、ユニット本体１１の前面に設けられた長方形状の操作開口２７と、この操作開口２７内で移動自在とされた直方体形状の操作部２８からなる。操作部２８は、図中Ａ方向、或いはＢ方向にスライド自在に設けられ、操作開口２７の図１中実線で示す第１位置と、図１中点線で示す第２位置と、図１中二点差線で示す第３位置と、図１中一点鎖線で示す第４位置との間で移動自在とされている。
【００１９】
なお、操作部２８が第１位置から第４位置のいずれかの位置にある場合、後述するバネ７０の復帰力を受けて図４中Ｓ方向に押圧される切替リング６５のリンクピン６５ｃの押圧を受けても操作部２８が移動しないように保持される。また、操作部２８が、第１位置或いは第３位置にある場合には、詳細は後述するが、コマ部材７５のストッパ７８に、シャッタ羽根４５の回動防止片４７ａが当接されるときの衝撃を受けて、操作部２８が移動しないように保持される。なお、操作部２８を各位置で確実に保持する方法として、例えば、後述する露出切替部材８５に係止突起を設けるとともに、前カバー３４に係止突起と係合する係合部を複数設け、操作部２８を第１〜第４位置のそれぞれに位置させたときに、係止突起と、複数の係合部のいずれかを係合させることが考えられる。
【００２０】
操作部２８が第１位置にある場合、小絞り及び高速シャッタが選択され、例えば晴れた日中で、且つ屋外撮影を行う第１撮影モードとなる。操作部２８が第２位置にある場合、小絞り及び低速シャッタが選択され、例えば曇りの日中で、且つ屋外撮影を行う第２撮影モードとなる。操作部材２８が第３位置にある場合、大絞り及び高速シャッタが選択され、例えば雨の日中で、且つ屋外撮影を行う場合や、夕方に撮影を行う第３撮影モードとなる。また、操作部２８が第４位置にある場合、大絞り及び低速シャッタが選択され、ドーム内、体育館内や、明るいイベント会場などの屋内撮影を行う第４撮影モードとなる。
【００２１】
図２は、ユニット本体１１の構成を分解して示す斜視図である。ユニット本体１１は、フイルムパトローネ３０が装填される本体基部３１と、この本体基部３１の前面側に取り付けられるストロボ装置３２と、本体基部３１の前面側及び背面側に取り付けられる前カバー３４及び後カバー３５とを備えている。
【００２２】
フイルムパトローネ３０は、パトローネ３０ａと、写真フイルム３０ｂとからなり、前述のように製造時に装填される。写真フイルム３０ｂとしては、フイルム感度がＩＳＯ４００のカラーリバーサルフイルムが用いられる。このカラーリバーサルフイルムは、カラーネガフイルムに比べて、撮影した被写体に対する色（色相、色調）の再現性、光（光の硬さや柔らかさ等）の再現性、及びコントラストが優れているという長所がある。
【００２３】
ストロボ装置３２は、各種電気部品が取り付けられてストロボ回路が形成されたプリント基板と、放電管やリフレクタ、拡散板等からなるストロボ発光部１７とから構成されている。また、プリント基板には、レリーズボタン２０の押圧に連動してオンとなり、ストロボ光を発光させるシンクロスイッチと、ストロボ選択部１８の操作部材２６の移動によってオン／オフされる充電スイッチを構成する金属接片等が取り付けられている。なお、詳細は記載しないが、シンクロスイッチは、後述するシャッタ羽根４５が回動したときに、シャッタ羽根４５に設けられた押圧片４６ｄによってオンとなる。このとき、ストロボ選択部１８の操作部２６がオン位置にある場合には、ストロボ発光部１７からストロボ光が被写体に向けて照射される。
【００２４】
本体基部３１の前面の略中央には、遮光筒４０（図３参照）が設けられている。この遮光筒４０の周囲には、シャッタチャージ機構、シャッタレリーズ機構、絞り切替機構、シャッタ速度切替機構、撮影光学系、ファインダ光学系等が組み込まれている。
【００２５】
図３は、遮光筒４０の周囲に組み込まれたシャッタレリーズ機構，絞り切替機構，シャッタ速度切替機構，撮影光学系の構成を示す分解斜視図である。遮光筒４０の前面には、矩形状の露光開口４１が形成されている。遮光筒４０の側方には、シャッタ羽根４５を揺動自在に支持するピン４２と、バネ４９の一端が掛けられるピン４３とが設けられている。なお、このバネ４９は、図３中Ｃ方向にシャッタ羽根４５を付勢している。
【００２６】
シャッタ機構を構成するシャッタ羽根４５は、ピン４２に挿通される穴４６ａが形成されたベース部４６と、露光開口４１の前方に配置されて該露光開口４１の開閉を行う羽根部４７と、ベース部４６と羽根部４７とを接続する連結部４８とからなる。ベース部４６には、バネ４９の他端が掛けられるピン４６ｂと、シャッタ駆動レバー５０によって蹴飛ばされる突出部４６ｃとが設けられている。シャッタ羽根４５は、バネ４９に付勢されて露光開口４１を塞ぐ閉じ位置に保持されている。そして、レリーズボタン２０の押圧操作によってシャッタ駆動レバー５０が図３中Ｄ方向に回動したときに、シャッタ羽根４５の突出部４６ｃを蹴飛ばす。シャッタ駆動レバー５０に蹴飛ばされたシャッタ羽根４５は、バネ４９の付勢に抗して（図８中Ｆ方向に）回動し、露光開口４１を全開した後に、バネ４９の付勢によって閉じ位置に向けて（図８中Ｇ方向に）回動する。なお、符号４７ａは、回動防止片であって、後述するストッパ７８が高速シャッタ位置にあるときに、この回動防止片４７ａと当接する。
【００２７】
レンズホルダ５０の前面中央には、筒形状の鏡筒５１が形成されている。鏡筒５１内には、開口５２が形成されており、鏡筒５１の側面には切欠５３が形成されている。鏡筒５１内には、撮影レンズ５を構成する第１レンズ５５と第２レンズ５６とが収納される。これら第１レンズ５５と第２レンズ５６との間には、絞り切替板６０の挿入スペースを確保するとともに、その中央に絞り開口（以下、大絞り開口）５８ａが形成されたスペーサー５８が収められる。この大絞り開口５８ａは、大絞りとなるものであって、絞り値Ｆ2がＦ2＝Ｆ５．６となるようにその径が決められている。
【００２８】
レンズホルダ５０の前面には、鏡筒５１に収められた撮影レンズ５等の部品と、鏡筒５１の外周に取り付けられた切替リング６５とが外れないように押さえるレンズ押さえ板６１が取り付けられる。
【００２９】
絞り切替板６０は、く字形状の薄板からなり、一端に大絞り開口５８ａを塞ぐ大きさの小絞り部６０ａが設けられ、この小絞り部６０ａには、大絞り開口５８ａよりも小径となる絞り開口（以下、小絞り開口）６０ｂが形成されている。小絞り開口６０ｂは、小絞りとなるものであって、絞り値Ｆ1がＦ1＝Ｆ２２．４（公称Ｆ２２）となるようにその径が決められている。なお、実際の絞り値Ｆ２２．４であっても絞り値Ｆ２２として用いられることがあるので、特許請求の範囲で記載したＦ２２については、本実施形態中ではＦ２２．４として説明する。絞り切替板６０の他端には、穴６０ｃと屈曲された長穴６０ｄとが形成されている。穴６０ｃは、レンズホルダ５０の鏡筒５１の近傍に形成されたピン６５に挿通され、絞り切替板６０を揺動自在とする。
【００３０】
上述した絞り切替板６０は、小絞り部６０ａを撮影光軸上に配置する小絞り位置（図５参照）と、小絞り部６０ａを光路外に退避させ、大絞り開口５８ａを露呈させる大絞り位置（図６参照）との間で回動される。小絞り位置となると、撮影光は、小径の小絞り開口６０ｂと、大径の大絞り開口５８ａとを通過するようになり、結果的には径の小さい小絞り開口６０ｂによって光量が制限される。
【００３１】
鏡筒５１の外周には、切替リング６５が回動自在に嵌入される。切替リング６５には、バネ７０の一端が掛けられるバネ掛けピン６５ａと、絞り切替板６０の長穴６０ｄに挿入されるリンクピン６５ｂと、露光切替部材８５の押圧レバー８５ｅが当接されるリンクピン６５ｃとが設けられている。バネ７０の他端は、レンズホルダ５０の前面下部に形成されたピン７１に掛けられ、切替リング６５を図３中Ｅ方向に付勢する。なお、バネ７０によって付勢された切替リング６５は、絞り切替板６０、或いは後述する露光切替部材８５の押圧レバー８５ｅによって所定の位置に保持される。なお、操作部２８が第１位置にある場合の、切替リング６５の位置を初期位置として説明する。
【００３２】
シャッタ速度切替手段として機能するコマ部材７５は、回転軸７６と、ギア７７と、ストッパ７８とを備えている。回転軸７６の一端は、本体基部３１に設けられたボス８０に回転自在に組み付けられる。また、回転軸７６の他端は、露出切替部材８５に設けられたガイド穴８５ｃに挿通される。なお、ラック８５ａとギア７７とが噛合しているから、操作部２８を図１中Ａ方向に操作した場合に、コマ部材７５は図８中Ｘ方向に回転する。一方、操作部２８を図１中Ｂ方向に操作した場合には、コマ部材は図８中Ｙ方向に回転する。
【００３３】
ストッパ７８は、操作部２８が第１位置、第３位置にある場合（図８参照）に、シャッタ羽根４５の回動防止片４７ａの回動軌跡上に位置する。このとき、レリーズボタン２０が操作されるとシャッタ羽根４５が回動するが、その回動途中で回動防止片４７ａがストッパ７８と当接され（図８中二点差線）、シャッタ羽根４５の回動が停止される。その後、バネ４９の復帰力によって上述した閉じ位置まで回動する。これにより、ストッパ７８が回動防止片４７ａの回動軌跡上に位置するときには、高速シャッタ速度となる。この高速シャッタ速度に設定されたときのシャッタ速度Ｔ1は、Ｔ1＝１／１８０秒となる。なお、このときのストッパの位置を、以下では、高速シャッタ位置として説明する。
【００３４】
一方、操作部２８が第２位置、第４位置にある場合（図９参照）は、ストッパ７８は、シャッタ羽根４５の回動防止片４７ａの回動軌跡上から退避する。このとき、シャッタ羽根４５の回動防止片４７ａは、その回動中にストッパ７８と当接しないので、シャッタ羽根４５は、図９中Ｆ方向に図９中一点鎖線の位置まで回動した後に、バネ４９の復帰力によって閉じ位置に向けて（図９中Ｇ方向に）回動する。これにより、ストッパ７８が回動防止片４７ａの回動軌跡上から退避した位置にあるときには、シャッタ速度が低速シャッタ速度となり、そのシャッタ速度Ｔ2がＴ2＝１／４５秒となる。なお、このときのストッパ７８の位置を、以下では、低速シャッタ位置として説明する。
【００３５】
露出切替部材８５は、ラック８５ａが上面に形成された基部８５ｂ、該基部８５ｂから突出するように形成され、コマ部材７５の回転軸の一端が挿通されるガイド穴８５ｃが形成されたガイド部８５ｄ、上述した操作部２８、上述した切替リング６５に設けられたリンクピン６５ｃを押圧する押圧レバー８５ｅを備えている。この露出切替部材８５は、操作部２８の操作によって図３中Ｍ方向、或いは図３中Ｎ方向に移動する。この移動に合わせて、ラック８５ａと螺合するギア７７を回転させる、つまり、コマ部材７５を回転させて、ストッパ７８をシャッタ羽根４５の回動防止片４７ａの回動軌跡上となる位置（図８参照）まで回転させる、或いは回動防止片４７ａの回動軌跡上から退避した位置（図９参照）まで回転させる。
【００３６】
この露出切替部材８５の移動時には、押圧レバー８５ｅも移動することになるから、例えば、操作部２８の操作によって、露出切替部材８５が図４中Ｍ方向に移動する場合には、切替リング６５をバネ７０の付勢に抗して押圧する。これにより、切替リング６５が図４中Ｑ方向に回転する。例えば操作部２８を操作して、操作部２８を第１位置から、第３位置或いは第４位置へと移動させると、切替リング６５が図４中Ｑ方向に回転し、切替リング６５に設けられたリンクピン６５ｂによって絞り切替板６０が図６中Ｒ方向に移動し、絞りが小絞りから大絞りに切り替わる。なお、操作部２８を第２位置から第３位置、或いは第４位置へと移動させた場合も同様である。一方、操作部２８を第１位置から第２位置へと移動させる、或いは、第３位置から第４位置へと移動させた場合には、絞り切替板６０は回動しないようになっている。
【００３７】
一方、操作部２８を図４中Ｎ方向に移動させた場合には、切替リング６５はバネ７０の復帰力によって図４中Ｓ方向に回転する。例えば、操作部２８を第３位置から、第１位置或いは第２位置へと移動させた場合には、押圧レバー８５ｅは、図６中Ｎ方向に移動するから、バネ７０の復帰力によって切替リング６５が図４中Ｓ方向に回転する。これを受けて、絞り切替板６０が図６中Ｔ方向に移動し、小絞り部６０ａを鏡筒５１の内部に挿入させる。これにより、絞りが大絞りから小絞りとなる。なお、操作部２８を第３位置から、第１位置或いは第２位置へと移動させた場合も同様である。
【００３８】
上記のように、このレンズ付きフイルムユニット２は、写真フイルム２２ｂとしてフイルム感度がＩＳＯ４００のカラーリバーサルフイルムが用いられ、第１撮影モードではシャッタ速度が１／１８０秒，絞り値がＦ２２．４とされ、第２撮影モードではシャッタ速度が１／４５秒，絞り値がＦ２２．４となる。また、第３撮影モードではシャッタ速度が１／１８０秒、絞り値がＦ５．６とされ、第４撮影モードではシャッタ速度が１／４５秒、絞り値がＦ５．６となる。
【００３９】
例えばフイルム感度をＩＳＯ１００を基準とする適正ＥＶ値を各撮影モードで算出すると、第１撮影モードではＥＶ１４．５、第２撮影モードではＥＶ１２．５、第３撮影モードではＥＶ１０．５、第４撮影モードではＥＶ８．５となる。カラーリバーサルフイルムのラチチュードを±１ＥＶとすると、このレンズ付きフイルムユニットにおいては、ＥＶ７．５〜ＥＶ１５．５の範囲で適正露光撮影を行うことができる。なお、ＩＳＯ１００を基準とした適正ＥＶ値は、絞り値をＦ，シャッタ速度をＴ（秒）、フイルム感度をＳとしたときに、「ＥＶ＝log2(Ｆ2／Ｔ)−log2（Ｓ／１００）」で与えられる。
【００４０】
次に、本実施形態の作用について説明する。例えば、晴れた日に、日中屋外等の明るい場所で撮影を行う場合には、第１撮影モードを選択する。第１撮影モードにするには、操作部２８を第１位置にセットする。このとき、操作部２８が第２位置から第１位置にセットする場合、図４中Ｎ方向に押圧レバー８５ｅが移動するので、バネ７０の復帰力より、図４中Ｑ方向に回転する。このとき、リンピン６５ｂが回動するが、絞り切替板６０は小絞り位置にセットされたままである。一方、操作部２８の操作によってコマ部材７５が図８中Ｙ方向に回転し、ストッパ７８がシャッタ羽根４５の回動防止板４７ａの回動軌跡上に位置する、高速シャッタ位置に保持される。
【００４１】
また、操作部２８が第３位置、或いは第４位置に保持された状態から第１位置に移動させた場合、押圧レバー８５ｅは、図６中、或いは図７中Ｎ方向に移動する。このとき切替リング６５は、バネ７０の復帰力を受けて図６中、或いは図７中Ｓ方向に回転する。このとき、切替リング６５のリンクピン６５ｂが回転し、その回転中に、絞り切替板６０の長穴６０ｄの屈曲部に到達する。この屈曲部にリンクピン６５ｂが到達すると、絞り切替板６０が図６中Ｔ方向に回転し、絞り切替板６０の小絞り部６０ａが鏡筒５１の内部に挿入され、絞りが大絞りから小絞りに設定される。一方、操作部２８の図１中Ｂ方向への移動によって、コマ部材７５が図８中Ｙ方向に回転する。そして、操作部２８が第１位置にセットされると、コマ部材７５のストッパ７８がシャッタ羽根４５の回動防止片４７ａの回動軌跡上にセットされる。なお、操作部２８が第２位置から第１位置にセットする場合、絞りは、そのまま小絞り位置にセットされている。一方、操作部２８を第２位置から第１位置へと移動させると、コマ部材が図８中Ｙ方向に回転し、コマ部材７５のストッパ７８がシャッタ羽根４５の回動防止片４７ａの回動軌跡上から退避する位置から、その回動軌跡上に位置する、つまり高速シャッタ位置にセットされる。
【００４２】
この第１撮影モード下でレリーズボタン９を押圧すると、これに応答してシャッタ羽根４５が閉じ位置から開き位置に向けて図８中Ｆ方向に回動するが、回動防止片４７ａがストッパ７８に当接することによって、その回動が停止され、バネ４９の復帰力によって図８中Ｇ方向に移動する。このシャッタ羽根４５の回動動作によって露光開口４１の開閉が行われる。これにより、１／１８０秒のシャッタ速度で露光が行われる。
【００４３】
上記のようにシャッタ羽根４５の開閉動作が行われている間に、撮影レンズ５に入射した被写体からの光は、小絞り開口６０ｂ，大絞り開口５８ａを通してリバーサルフイルム２２ｂに露光を与えるが、この場合には絞り値Ｆ２２．４の小絞り開口６０ｂで光量が規制される。
【００４４】
結果として、フイルム感度ＩＳＯ４００のリバーサルフイルム２２ｂに対して、シャッタ速度１／１８０秒，絞り値Ｆ２２．４で露光が行われ、この第１撮影モードでは、適正ＥＶ値がＥＶ１４．５であって、ＥＶ１３．５〜ＥＶ１５．５の範囲で良好な撮影が行える。
【００４５】
また、曇りの日に、日中屋外で撮影を行う場合には、第２撮影モードを選択する。第２撮影モードにするには、操作部２８を第１位置から第２位置まで操作する。この操作によって、押圧レバー８５ｅが図５中Ｍ方向に移動する。このとき、６５ｃリンクピン６５ｃは押圧レバー８５ｅの押圧を受けるので、切替リング６５が図５中Ｑ方向に回転する。なお、この切替リング６５の回転とともに、リンクピン６５ｂが回転することになるが、リンクピン６５ｂの位置が絞り切替板６０の長穴６０ｄの屈曲部まで到達していないので、絞り切替板６０は、第１撮影モードと同様に、小絞り位置にセットされる。また、図９に示すように、操作部２８を操作することによってコマ部材７５が図８中Ｘ方向に回転し、ストッパ７８が低速シャッタ位置にセットされる。
【００４６】
一方、操作部２８を第３位置から、或いは第４位置から第２位置まで移動させた場合、切替リング６５は、バネ７０の復帰力を受けて図５中Ｓ方向に回転する。図６又は図７に示すように、操作部２８が第３位置、或いは第４位置にある場合には、切替リング６５が図６中Ｓ方向に回転すると、リンクピン６５ｂも回転し、絞り切替板６０の長穴６０ｄの屈曲部を通過する。この通過とともに、絞り切替板６０が図６中Ｔ方向に回動し、絞りが、大絞りから小絞りへと切り替わる。また、操作部２８の図８中Ｍ方向への移動によってコマ部材７５が図８中Ｙ方向へ回転し、ストッパ７８が低速シャッタ位置にセットされる。
【００４７】
この第２撮影モード下でレリーズボタン９を押圧すると、これに応答してシャッタ羽根４５が閉じ位置から開き位置に向けて回動する。このとき、ストッパ７８が低速シャッタ位置にセットされることによって、シャッタ羽根４５は図９中一点鎖線の位置まで回動した後に、バネ４９の復帰力によって再び閉じ位置に戻る開閉動作が行われ、露光開口４１の開閉が行われる。これにより、１／４５秒のシャッタ速度で露光が行われる。
【００４８】
上記のように、シャッタ羽根４５の開閉動作が行われている間に、撮影レンズ５に入射した被写体からの光は、小絞り開口６０ｂ，大絞り開口５８ａを通して写真フイルム２２ｂに露光を与えるが、この場合には絞り値Ｆ２２．４の小絞り開口６０ｂで光量が規制される。
【００４９】
結果として、フイルム感度ＩＳＯ４００のリバーサルフイルム２２ｂに対して、シャッタ速度１／４５秒，絞り値Ｆ２２．４で露光が行われ、この第１撮影モードでは、適正ＥＶ値がＥＶ１２．５であって、ＥＶ１１．５〜ＥＶ１３．５の範囲で良好な撮影が行える。
【００５０】
また、雨の日に、日中屋外で撮影を行う場合や、夕方に撮影を行う場合には、第３撮影モードを選択する。第３撮影モードにするには、操作部２８を第３位置まで操作する。例えば操作部２８を第１位置、或いは第２位置から、第３位置へ移動させると、切替リングが図４又は図５中Ｑ方向に回転する。この回転時に、リンクピン６５ｂも回転する。このリンクピン６５ｂの回動中に、長穴６０ｄの屈曲部を通過することになり、この通過時に、絞り切替板６０が図中Ｒ方向に回動する。これにより、絞りが小絞りから大絞りに切り替わる。また、操作部２８を操作することによって、コマ部材７５が図８中Ｘ方向に回転し、ストッパ７８が、シャッタ羽根４５の回動防止片４７ａの回動軌跡上に、つまり高速シャッタ位置にセットされる。
【００５１】
一方、操作部２８を第４位置から第３位置まで移動させた場合には、切替リング６５のリンクピン６５ｂの回動は、長穴６０ｄの屈曲部まで到達しない位置で停止するので、絞りは、大絞りのままセットされる。また、コマ部材７５は、図８中Ｙ方向に回転し、回動防止片４７ａの回動軌跡上から退避した位置から、回動軌跡上に位置する、つまり高速シャッタ位置にセットされる。
【００５２】
この第３撮影モード下でレリーズボタン９を押圧すると、これに応答してシャッタ羽根４５が閉じ位置から開き位置に向けて回動するが、回動防止片４７ａがストッパ７８に当接することによって、その回動が停止され、バネ４９の復帰力によって再び閉じ位置に戻る開閉動作が行われ、露光開口４１の開閉が行われる。これにより、１／１８０秒のシャッタ速度で露光が行われる。
【００５３】
上記のようにシャッタ羽根４５の開閉動作が行われている間に、撮影レンズ５に入射した被写体からの光は、絞り値Ｆ５．６の大絞り開口５８ａを通してリバーサルフイルム２２ｂに露光を与えることになる。
【００５４】
結果として、フイルム感度ＩＳＯ４００のリバーサルフイルム２２ｂに対して、シャッタ速度１／１８０秒，絞り値Ｆ５．６で露光が行われ、この第３撮影モードでは、適正ＥＶ値がＥＶ１０．５であって、ＥＶ９．５〜ＥＶ１１．５の範囲で良好な撮影が行える。
【００５５】
また、ドーム内、体育館内、イベント会場などの明るい屋内で操作を行う場合には、第４撮影モードを選択する。この場合、操作部２８を第１位置、或いは第２位置から第４位置まで操作すると、リンクピン６５ｂが長穴６０ｄの屈曲部を通過することによって、絞り切替板６０が、図７中Ｒ方向に回動する。これにより、絞りが大絞りにセットされる。また、操作部２８の操作によって、コマ部材７５が図８中Ｘ方向に回転し、回動防止片４７ａの回動軌跡上から退避する位置、つまり低速シャッタ位置にセットされる。なお、操作部２８を第３位置から第４位置に操作した場合は、絞り切替板６０は回動しないため、絞りが大絞り位置でセットされたままである。また、コマ部材７５は図８中Ｘ方向に回転し、ストッパ７８が、回動防止片４７ａの回動軌跡上から退避する位置、つまり低速シャッタ位置にセットされる。
【００５６】
この第４撮影モード下でレリーズボタン２０を押圧すると、これに応答してシャッタ羽根４５が閉じ位置から開き位置に向けて回動する。このとき、ストッパ７８が低速シャッタ位置にセットされることによって、シャッタ羽根４５は図９中一点鎖線で示す位置まで回動した後に、バネ４９の復帰力によって再び閉じ位置に戻る開閉動作が行われ、露光開口４１の開閉が行われる。これにより、１／４５秒のシャッタ速度で露光が行われる。
【００５７】
上記のようにシャッタ羽根４５の開閉動作が行われている間に、撮影レンズ５に入射した被写体からの光は、絞り値Ｆ５．６の大絞り開口５８ａを通してリバーサルフイルム２２ｂに露光を与えることになる。
【００５８】
結果として、フイルム感度ＩＳＯ４００のリバーサルフイルム２２ｂに対して、シャッタ速度１／４５秒，絞り値Ｆ５．６で露光が行われ、この第４撮影モードでは、適正ＥＶ値がＥＶ８．５であって、ＥＶ７．５〜ＥＶ９．５の範囲で良好な撮影が行える。
【００５９】
なお、上述した第１〜第４撮影モードのいずれかでストロボ装置３２を用いて撮影を行う際、ストロボ選択部１８の操作部２６をオフ位置からオン位置に操作した後に、レリーズボタン２０を操作する。この場合、撮影時に、ストロボ光が被写体に向けて照射されることになるが、この場合、ストロボ光は、被写体に生じた影を無くす、所謂影消しや、被写体の輪郭を背景に対してはっきりさせる等、補助的な目的で使用される。
【００６０】
本実施形態では、シャッタ速度切替手段として、シャッタ羽根の回動防止片と当接し、シャッタ羽根の回動量を切り替えるストッパを備えたコマ部材から構成したが、これに限定する必要はなく、例えば第１ストッパと、第２ストッパを所定の間隔を空けて配置された速度切替部材から構成し、操作部を第１位置から第４位置の間でスライド可能とする。そして、操作部が第１位置にある場合には、シャッタ羽根の回動防止片の回動軌跡上に、第１ストッパを位置させる。操作部が第３位置にある場合には、シャッタ羽根の回動防止片の回動軌跡上に、第２ストッパを位置させる。操作部が第２位置及び第４位置にある場合には、第１ストッパ、或いは第２ストッパのいずれかともシャッタ羽根の回動防止片の回動軌跡上から退避させる。
【００６１】
本実施形態では、操作部２８の図３中Ｍ方向へ移動させた場合に、リンクピン６５ｃが押圧レバー８５ｅによって押圧され、結果的に切替リング６５を図４中Ｑ方向に回転させ、操作部２８の図３中Ｎ方向へ移動させた場合には、切替リング６５をバネ７０の復帰力によって図４中Ｓ方向に回転するようにしたが、これに限定する必要はなく、例えば押圧レバー８５ｅに、リンクピン６５ｃが挿入される溝部や孔を設け、操作部２８の移動によって切替リング６５を回転させることも可能である。これにより、バネ７０を用いる必要がなくなり、部品点数を減らすことができる。
【００６２】
本実施形態では、カラーリバーサルフイルムのフイルム感度をＩＳＯ４００とし、小絞りの絞り値をＦ1＝２２．４、大絞りの絞り値をＦ2＝Ｆ５．６としたが、これに限定する必要はなく、例えばフイルム感度をＩＳＯ２００とし、小絞りの絞り値をＦ1＝１６、大絞りの絞り値をＦ2＝Ｆ４としてもよい。この場合、レンズ付きフイルムユニットにおいては、ＥＶ７．５〜ＥＶ１５．５の適正露光範囲で撮影を行うことができる。
【図面の簡単な説明】
【００６３】
【図１】レンズ付きフイルムユニットの外観を示す斜視図である。
【図２】レンズ付きフイルムユニットの構成を分解して示す斜視図である。
【図３】レンズ鏡筒近傍の構成を分解して示す斜視図である。
【図４】第１撮影モードの際の絞り切替板の位置を示す正面図である。
【図５】第２撮影モードの際の絞り切替板の位置を示す正面図である。
【図６】第３撮影モードの際の絞り切替板の位置を示す正面図である。
【図７】第４撮影モードの際の絞り切替板の位置を示す正面図である。
【図８】第１撮影モード、第３撮影モードのときのシャッタバネの回動位置を示す正面図である。
【図９】第２撮影モード、第４撮影モードのときのシャッタバネの回動位置を示す正面図である。
【符号の説明】
【００６４】
１０  レンズ付きフイルムユニット
１８  ストロボ選択部
１９  露光切替部
２０  レリーズボタン
２８  操作部
３０ｂ  リバーサルフイルム
３２  ストロボ装置
４１  露光開口
４５  シャッタ羽根
４７ａ  回動防止片
５８ａ  大絞り開口
６０  絞り切替板
６０ｂ  小絞り開口
７５  コマ部材
７８  ストッパ
【図１】
2006301198.tif 000003
【図２】
2006301198.tif 000004
【図３】
2006301198.tif 000005
【図４】
2006301198.tif 000006
【図５】
2006301198.tif 000007
【図６】
2006301198.tif 000008
【図７】
2006301198.tif 000009
【図８】
2006301198.tif 000010
【図９】
2006301198.tif 000011